(57)【要約】【課題】ｃｈ数情報がステレオでありながら、音データはＬｃｈとＲｃｈとで同じ音である放送が存在している場合であっても、モノラル再生に適した音場処理を行うこと。【解決手段】テレビ受信機１側で、多重化復元部１０６により、選局されたデジタル放送の多重化信号を復元し、映像、音声信号、電子番組ガイド情報を有する付加情報のそれぞれに分離し、音声復号手段としての音声復号部１２０により音声信号を復号化し、音声データ比較部１２０ａにより、電子番組ガイド情報又は音声信号のヘッダー情報から得られる映像の音声のｃｈ数情報が２ｃｈである場合、音声復号部１２０によって復号化された左右の音のデータを比較し、左右の音のデータが同じであるとき、第１オーディオ制御手段としてのオーディオ制御部１２１により、たとえば左右のフロントスピーカ１２９，１３０からのモノラル再生が行われるようにした。【選択図】図６
2009021663.tif 000002
【特許請求の範囲】
【請求項１】
少なくとも左右のスピーカを有するテレビ受信機における映像音声再生装置であって、
選局されたデジタル放送の多重化信号を復元し、映像信号、音声信号、電子番組ガイド情報を有する付加情報のそれぞれに分離する多重化復元手段と、
前記音声信号を復号化する音声復号手段と、
前記電子番組ガイド情報又は前記音声信号のヘッダ情報から得られる映像の音声のｃｈ数情報が２ｃｈである場合、前記音声復号手段によって復号化された左右の音のデータを比較する音声データ比較手段と、
該音声データ比較手段による比較結果に応じて前記左右のスピーカからのステレオ再生又はモノラル再生を行わせるオーディオ制御手段とを備え、
前記音声データ比較手段による比較において左右の音のデータが同じである場合、前記オーディオ制御手段により前記左右のスピーカによるモノラル再生が行われる
ことを特徴とする映像音声再生装置。
【請求項２】
少なくとも左右のスピーカ及びセンタスピーカを有するテレビ受信機における映像音声再生装置であって、
選局されたデジタル放送の多重化信号を復元し、映像信号、音声信号、電子番組ガイド情報を有する付加情報のそれぞれに分離する多重化復元手段と、
前記音声信号を復号化する音声復号手段と、
前記電子番組ガイド情報又は前記音声信号のヘッダ情報から得られる映像の音声のｃｈ数情報が２ｃｈである場合、前記音声復号手段によって復号化された左右の音のデータを比較する音声データ比較手段と、
該音声データ比較手段による比較結果に応じて前記左右のスピーカ及びセンタスピーカからのステレオ再生又はモノラル再生を行わせるオーディオ制御手段とを備え、
前記音声データ比較手段による比較において左右の音のデータが同じである場合、前記オーディオ制御手段により前記左右のスピーカ及びセンタスピーカによるモノラル再生が行われる
ことを特徴とする映像音声再生装置。
【請求項３】
少なくとも左右のスピーカを有するテレビ受信機と、該テレビ受信機に接続され、少なくとも左右の外部スピーカを有するオーディオ機器とにおける映像音声再生システムであって、
前記テレビ受信機は、
選局されたデジタル放送の多重化信号を復元し、映像信号、音声信号、電子番組ガイド情報を有する付加情報のそれぞれに分離する多重化復元手段と、
前記音声信号を復号化する音声復号手段と、
前記電子番組ガイド情報又は前記音声信号のヘッダ情報から得られる映像の音声のｃｈ数情報が２ｃｈである場合、前記音声復号手段によって復号化された左右の音のデータを比較する第１音声データ比較手段と、
該第１音声データ比較手段による比較結果に応じて前記左右のスピーカからのステレオ再生又はモノラル再生を行わせる第１オーディオ制御手段とを備え、
前記オーディオ機器は、
前記テレビ受信機に少なくとも該テレビ受信機からの音声信号を受け取るＨＤＭＩケーブルを介して接続され、
前記音声信号を復調する音声復調手段と、
前記電子番組ガイド情報又は前記音声信号のヘッダ情報から得られる映像の音声のｃｈ数情報が２ｃｈである場合、前記音声復調手段によって復調された左右の音のデータを比較する第２音声データ比較手段と、
該第２音声データ比較手段による比較結果に応じて前記左右の外部スピーカからのステレオ再生又はモノラル再生を行わせる第２オーディオ制御手段とを備え、
音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ又は前記左右の外部スピーカによるモノラル再生が行われる
ことを特徴とする映像音声再生システム。
【請求項４】
少なくとも左右のスピーカ及びセンタスピーカを有するテレビ受信機と、該テレビ受信機に接続され、少なくとも左右の外部スピーカ及び外部センタスピーカを有するオーディオ機器とにおける映像音声再生システムであって、
前記テレビ受信機は、
選局されたデジタル放送の多重化信号を復元し、映像信号、音声信号、電子番組ガイド情報を有する付加情報のそれぞれに分離する多重化復元手段と、
前記音声信号を復号化する音声復号手段と、
前記電子番組ガイド情報又は前記音声信号のヘッダ情報から得られる映像の音声のｃｈ数情報が２ｃｈである場合、前記音声復号手段によって復号化された左右の音のデータを比較する第１音声データ比較手段と、
該第１音声データ比較手段による比較結果に応じて前記左右のスピーカ及びセンタスピーカからのステレオ再生又はモノラル再生を行わせる第１オーディオ制御手段とを備え、
前記オーディオ機器は、
前記テレビ受信機に少なくとも該テレビ受信機からの音声信号を受け取るＨＤＭＩケーブルを介して接続され、
前記音声信号を復調する音声復調手段と、
前記電子番組ガイド情報又は前記音声信号のヘッダ情報から得られる映像の音声のｃｈ数情報が２ｃｈである場合、前記音声復調手段によって復調された左右の音のデータを比較する第２音声データ比較手段と、
該第２音声データ比較手段による比較結果に応じて前記左右の外部スピーカ及び外部センタスピーカからのステレオ再生又はモノラル再生を行わせる第２オーディオ制御手段とを備え、
音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ及びセンタスピーカ又は前記左右の外部スピーカ及び外部センタスピーカによるモノラル再生が行われる
ことを特徴とする映像音声再生システム。
【請求項５】
前記オーディオ機器は、光ケーブルを介して前記テレビ受信機に接続され、
前記ＨＤＭＩケーブル及び／又は前記光ケーブルを介して前記テレビ受信機からの音声信号が前記オーディオ機器に伝達される
ことを特徴とする請求項３又は４に記載の映像音声再生システム。
【請求項６】
少なくとも左右のスピーカを有するテレビ受信機における映像音声再生方法であって、
多重化復元手段により、選局されたデジタル放送の多重化信号を復元し、映像信号、音声信号、電子番組ガイド情報を有する付加情報のそれぞれに分離する工程と、
音声復号手段により前記音声信号を復号化する工程と、
音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、
オーディオ制御手段により、該音声データ比較手段による比較結果に応じて前記左右のスピーカからのステレオ再生又はモノラル再生を行わせる工程とを有し、
前記音声データ比較手段による比較において左右の音のデータが同じである場合、前記オーディオ制御手段により前記左右のスピーカによるモノラル再生が行われる
ことを特徴とする映像音声再生方法。
【請求項７】
少なくとも左右のスピーカ及びセンタスピーカを有するテレビ受信機における映像音声再生方法であって、
多重化復元手段により、選局されたデジタル放送の多重化信号を復元し、映像信号、音声信号、電子番組ガイド情報を有する付加情報のそれぞれに分離する工程と、
音声復号手段により前記音声信号を復号化する工程と、
音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、
オーディオ制御手段により、該音声データ比較手段による比較結果に応じて前記左右のスピーカ及びセンタスピーカからのステレオ再生又はモノラル再生を行わせる工程とを有し、
前記音声データ比較手段による比較において左右の音のデータが同じである場合、前記オーディオ制御手段により前記左右のスピーカ及びセンタスピーカによるモノラル再生が行われる
ことを特徴とする映像音声再生方法。
【請求項８】
少なくとも左右のスピーカを有するテレビ受信機と、該テレビ受信機に接続され、少なくとも左右の外部スピーカを有するオーディオ機器とにおける映像音声再生方法であって、
前記テレビ受信機は、
多重化復元手段により、選局されたデジタル放送の多重化信号を復元し、映像信号、音声信号、電子番組ガイド情報を有する付加情報のそれぞれに分離する工程と、
音声復号手段により前記音声信号を復号化する工程と、
第１音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、
第１オーディオ制御手段により、前記第１音声データ比較手段による比較結果に応じて前記左右のスピーカからのステレオ再生又はモノラル再生を行わせる工程とを有し、
前記オーディオ機器は、
前記テレビ受信機に少なくとも該テレビ受信機からの音声信号を受け取るＨＤＭＩケーブルを介して接続され、
音声復調手段により前記音声信号を復調する工程と、
第２音声データ比較手段により、前記電子番組ガイド情報又は前記音声信号のヘッダ情報から得られる映像の音声のｃｈ数情報が２ｃｈである場合、前記音声復調手段によって復調された左右の音のデータを比較する工程と、
第２オーディオ制御手段により、該第２音声データ比較手段による比較結果に応じて前記左右の外部スピーカからのステレオ再生又はモノラル再生を行わせる工程とを有し、
音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ又は前記左右の外部スピーカによるモノラル再生が行われる
ことを特徴とする映像音声再生方法。
【請求項９】
少なくとも左右のスピーカ及びセンタスピーカを有するテレビ受信機と、該テレビ受信機に接続され、少なくとも左右の外部スピーカ及び外部センタスピーカを有するオーディオ機器とにおける映像音声再生方法であって、
前記テレビ受信機は、
多重化復元手段により、選局されたデジタル放送の多重化信号を復元し、映像信号、音声信号、電子番組ガイド情報を有する付加情報のそれぞれに分離する工程と、
音声復号手段により前記音声信号を復号化する工程と、
第１音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、
第１オーディオ制御手段により、該第１音声データ比較手段による比較結果に応じて前記左右のスピーカ及びセンタスピーカからのステレオ再生又はモノラル再生を行わせる工程とを有し、
前記オーディオ機器は、
前記テレビ受信機に少なくとも該テレビ受信機からの音声信号を受け取るＨＤＭＩケーブルを介して接続され、
音声復調手段により前記音声信号を復調する工程と、
第２音声データ比較手段により、前記電子番組ガイド情報又は前記音声信号のヘッダ情報から得られる映像の音声のｃｈ数情報が２ｃｈである場合、前記音声復調手段によって復調された左右の音のデータを比較する工程と、
第２オーディオ制御手段により、前記第２音声データ比較手段による比較結果に応じて前記左右の外部スピーカ及び外部センタスピーカからのステレオ再生又はモノラル再生を行わせる工程とを有し、
音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ及びセンタスピーカ又は前記左右の外部スピーカ及び外部センタスピーカによるモノラル再生が行われる
ことを特徴とする映像音声再生方法。
【発明の詳細な説明】
【技術分野】
【０００１】
本発明は、映像音声再生装置、映像音声再生システム及び映像音声再生方法に係り、特に音声再生に適した映像音声再生装置、映像音声再生システム及び映像音声再生方法に関する。
【背景技術】
【０００２】
デジタル放送の映像を表示するテレビ受信機では、複数の外部入力端子を備え、ＤＶＤからの映像／音声信号、ゲーム機器からの映像／音声信号、ビデオカメラからの映像／音声信号、デジタルカメラからの映像／音声信号、ＰＣ（パソコン）からの映像／音声信号等を取り込むことで、デジタル放送の映像／音声に限らず他の機器からの映像／音声の視聴が可能となっている。
【０００３】
また、このようなテレビ受信機では、１つの画面にそれぞれ異なる複数の映像を表示できるようにしたマルチウィンドウ機能を搭載しているものがあり、ある程度の画面サイズであれば、たとえば画面の左側にデジタル放送の映像を表示し、画面の右側にゲーム機器からの映像を表示してのいわゆる２画面表示であっても、デジタル放送の映像とゲーム機器からの映像とを同時に楽しむことが可能となっている。
【０００４】
また、たとえば画面の左側にデジタル放送の映像を表示し、画面の右側にパソコンの画面を表示して、デジタル放送の映像を見ながら、その映像に関する情報をインターネットで検索するというような楽しみ方も可能となっている。
【０００５】
当然に、画面サイズが大きくなると、２画面表示に限らず、３画面以上の表示であっても、それぞれの画面の映像を楽しむことが可能である。
【０００６】
また、このようなテレビ受信機には、ＡＶ信号（オーディオ・ビジュアル信号；映像信号と音声信号とを含む）とそれに付加された付加情報（ジャンル情報やチャンネル情報等の番組情報）を受信し、これらの付加情報を基に番組内容に適した音場モードに切り替える等の制御を行うことができるようにしたものがある。
【０００７】
このような番組内容に適した音場モードに切り替える等の制御を行うものとして、特許文献１では、受信されたデジタル放送のデータストリームから、音声符号化データを分離するとともに、番組関連情報を抽出する手段と、その分離された音声符号化データを復号する手段と、その復号された音声信号につき、音場、音質または音量を調整する音声処理部と、抽出された番組関連情報に基づいて、音声処理部を制御する制御部とを設けるようにしたデジタル放送受信装置を提案している。
【特許文献１】特開２００２−２７３５２号公報
【発明の開示】
【発明が解決しようとする課題】
【０００８】
上述した特許文献１のように、抽出された番組関連情報に基づいて、音声処理部を制御することにより、音声多チャンネル伝送等によって高度な音場情報を伝送することができるデジタル放送での編成チャンネルや番組内容等応じた音場や音質等を簡単に調整できるようになっている。
【０００９】
ところで、このようなデジタル放送では、上述したデジタル放送のデータストリームの音声データのヘッダ情報から得られるｃｈ数情報（又はデジタル放送のＥＰＧデータから得られるｃｈ数情報）を元に、映像の音声がステレオかモノラルかを判断し、それぞれに適した音場処理が実行されるものである。
【００１０】
ところが、実情では、そのｃｈ数情報がステレオでありながら、音データはＬｃｈとＲｃｈとで同じ音である放送が存在する場合があり、このような放送のｃｈ数情報に基づいて単に音場処理を行うとモノラル再生に適した音場処理を行うことができないという問題があった。
【００１１】
本発明は、このような状況に鑑みてなされたものであり、上記問題点を解決することができる映像音声再生装置、映像音声再生システム及び映像音声再生方法を提供することを目的とする。
【課題を解決するための手段】
【００１２】
本発明の映像音声再生装置は、少なくとも左右のスピーカを有するテレビ受信機における映像音声再生装置であって、選局されたデジタル放送の多重化信号を復元し、映像信号、音声信号、電子番組ガイド情報を有する付加情報のそれぞれに分離する多重化復元手段と、前記音声信号を復号化する音声復号手段と、前記電子番組ガイド情報又は前記音声信号のヘッダ情報から得られる映像の音声のｃｈ数情報が２ｃｈである場合、前記音声復号手段によって復号化された左右の音のデータを比較する音声データ比較手段と、該音声データ比較手段による比較結果に応じて前記左右のスピーカからのステレオ再生又はモノラル再生を行わせるオーディオ制御手段とを備え、前記音声データ比較手段による比較において左右の音のデータが同じである場合、前記オーディオ制御手段により前記左右のスピーカによるモノラル再生が行われることを特徴とする。
本発明の映像音声再生装置は、少なくとも左右のスピーカ及びセンタスピーカを有するテレビ受信機における映像音声再生装置であって、選局されたデジタル放送の多重化信号を復元し、映像信号、音声信号、電子番組ガイド情報を有する付加情報のそれぞれに分離する多重化復元手段と、前記音声信号を復号化する音声復号手段と、前記電子番組ガイド情報又は前記音声信号のヘッダ情報から得られる映像の音声のｃｈ数情報が２ｃｈである場合、前記音声復号手段によって復号化された左右の音のデータを比較する音声データ比較手段と、該音声データ比較手段による比較結果に応じて前記左右のスピーカ及びセンタスピーカからのステレオ再生又はモノラル再生を行わせるオーディオ制御手段とを備え、前記音声データ比較手段による比較において左右の音のデータが同じである場合、前記オーディオ制御手段により前記左右のスピーカ及びセンタスピーカによるモノラル再生が行われることを特徴とする。
本発明の映像音声再生システムは、少なくとも左右のスピーカを有するテレビ受信機と、該テレビ受信機に接続され、少なくとも左右の外部スピーカを有するオーディオ機器とにおける映像音声再生システムであって、前記テレビ受信機は、選局されたデジタル放送の多重化信号を復元し、映像信号、音声信号、電子番組ガイド情報を有する付加情報のそれぞれに分離する多重化復元手段と、前記音声信号を復号化する音声復号手段と、前記電子番組ガイド情報又は前記音声信号のヘッダ情報から得られる映像の音声のｃｈ数情報が２ｃｈである場合、前記音声復号手段によって復号化された左右の音のデータを比較する第１音声データ比較手段と、該第１音声データ比較手段による比較結果に応じて前記左右のスピーカからのステレオ再生又はモノラル再生を行わせる第１オーディオ制御手段とを備え、前記オーディオ機器は、前記テレビ受信機に少なくとも該テレビ受信機からの音声信号を受け取るＨＤＭＩケーブルを介して接続され、前記音声信号を復調する音声復調手段と、前記電子番組ガイド情報又は前記音声信号のヘッダ情報から得られる映像の音声のｃｈ数情報が２ｃｈである場合、前記音声復調手段によって復調された左右の音のデータを比較する第２音声データ比較手段と、該第２音声データ比較手段による比較結果に応じて前記左右の外部スピーカからのステレオ再生又はモノラル再生を行わせる第２オーディオ制御手段とを備え、音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ又は前記左右の外部スピーカによるモノラル再生が行われることを特徴とする。
本発明の映像音声再生システムは、少なくとも左右のスピーカ及びセンタスピーカを有するテレビ受信機と、該テレビ受信機に接続され、少なくとも左右の外部スピーカ及び外部センタスピーカを有するオーディオ機器とにおける映像音声再生システムであって、前記テレビ受信機は、選局されたデジタル放送の多重化信号を復元し、映像信号、音声信号、電子番組ガイド情報を有する付加情報のそれぞれに分離する多重化復元手段と、前記音声信号を復号化する音声復号手段と、前記電子番組ガイド情報又は前記音声信号のヘッダ情報から得られる映像の音声のｃｈ数情報が２ｃｈである場合、前記音声復号手段によって復号化された左右の音のデータを比較する第１音声データ比較手段と、該第１音声データ比較手段による比較結果に応じて前記左右のスピーカ及びセンタスピーカからのステレオ再生又はモノラル再生を行わせる第１オーディオ制御手段とを備え、前記オーディオ機器は、前記テレビ受信機に少なくとも該テレビ受信機からの音声信号を受け取るＨＤＭＩケーブルを介して接続され、前記音声信号を復調する音声復調手段と、前記電子番組ガイド情報又は前記音声信号のヘッダ情報から得られる映像の音声のｃｈ数情報が２ｃｈである場合、前記音声復調手段によって復調された左右の音のデータを比較する第２音声データ比較手段と、該第２音声データ比較手段による比較結果に応じて前記左右の外部スピーカ及び外部センタスピーカからのステレオ再生又はモノラル再生を行わせる第２オーディオ制御手段とを備え、音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ及びセンタスピーカ又は前記左右の外部スピーカ及び外部センタスピーカによるモノラル再生が行われることを特徴とする。
また、前記オーディオ機器は、光ケーブルを介して前記テレビ受信機に接続され、前記ＨＤＭＩケーブル及び／又は前記光ケーブルを介して前記テレビ受信機からの音声信号が前記オーディオ機器に伝達されるようにすることができる。
本発明の映像音声再生方法は、少なくとも左右のスピーカを有するテレビ受信機における映像音声再生方法であって、多重化復元手段により、選局されたデジタル放送の多重化信号を復元し、映像信号、音声信号、電子番組ガイド情報を有する付加情報のそれぞれに分離する工程と、音声復号手段により前記音声信号を復号化する工程と、音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、オーディオ制御手段により、該音声データ比較手段による比較結果に応じて前記左右のスピーカからのステレオ再生又はモノラル再生を行わせる工程とを有し、前記音声データ比較手段による比較において左右の音のデータが同じである場合、前記オーディオ制御手段により前記左右のスピーカによるモノラル再生が行われることを特徴とする。
本発明の映像音声再生方法は、少なくとも左右のスピーカ及びセンタスピーカを有するテレビ受信機における映像音声再生方法であって、多重化復元手段により、選局されたデジタル放送の多重化信号を復元し、映像信号、音声信号、電子番組ガイド情報を有する付加情報のそれぞれに分離する工程と、音声復号手段により前記音声信号を復号化する工程と、音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、オーディオ制御手段により、該音声データ比較手段による比較結果に応じて前記左右のスピーカ及びセンタスピーカからのステレオ再生又はモノラル再生を行わせる工程とを有し、前記音声データ比較手段による比較において左右の音のデータが同じである場合、前記オーディオ制御手段により前記左右のスピーカ及びセンタスピーカによるモノラル再生が行われることを特徴とする。
本発明の映像音声再生方法は、少なくとも左右のスピーカを有するテレビ受信機と、該テレビ受信機に接続され、少なくとも左右の外部スピーカを有するオーディオ機器とにおける映像音声再生方法であって、前記テレビ受信機は、多重化復元手段により、選局されたデジタル放送の多重化信号を復元し、映像信号、音声信号、電子番組ガイド情報を有する付加情報のそれぞれに分離する工程と、音声復号手段により前記音声信号を復号化する工程と、第１音声データ比較手により、前記電子番組ガイド情報又は前記音声信号のヘッダ情報から得られる映像の音声のｃｈ数情報が２ｃｈである場合、前記音声復号手段によって復号化された左右の音のデータを比較する工程と、第１オーディオ制御手段により、前記第１音声データ比較手段による比較結果に応じて前記左右のスピーカからのステレオ再生又はモノラル再生を行わせる工程とを有し、前記オーディオ機器は、前記テレビ受信機に少なくとも該テレビ受信機からの音声信号を受け取るＨＤＭＩケーブルを介して接続され、音声復調手段により前記音声信号を復調する工程と、第２音声データ比較手段により、前記電子番組ガイド情報又は前記音声信号のヘッダ情報から得られる映像の音声のｃｈ数情報が２ｃｈである場合、前記音声復調手段によって復調された左右の音のデータを比較する工程と、第２オーディオ制御手段により、該第２音声データ比較手段による比較結果に応じて前記左右の外部スピーカからのステレオ再生又はモノラル再生を行わせる工程とを有し、音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ又は前記左右の外部スピーカによるモノラル再生が行われることを特徴とする。
本発明の映像音声再生方法は、少なくとも左右のスピーカ及びセンタスピーカを有するテレビ受信機と、該テレビ受信機に接続され、少なくとも左右の外部スピーカ及び外部センタスピーカを有するオーディオ機器とにおける映像音声再生方法であって、前記テレビ受信機は、多重化復元手段により、選局されたデジタル放送の多重化信号を復元し、映像信号、音声信号、電子番組ガイド情報を有する付加情報のそれぞれに分離する工程と、音声復号手段により前記音声信号を復号化する工程と、第１音声データ比較手段により、前記電子番組ガイド情報又は前記音声信号のヘッダ情報から得られる映像の音声のｃｈ数情報が２ｃｈである場合、前記音声復号手段によって復号化された左右の音のデータを比較する工程と、第１オーディオ制御手段により、該第１音声データ比較手段による比較結果に応じて前記左右のスピーカ及びセンタスピーカからのステレオ再生又はモノラル再生を行わせる工程とを有し、前記オーディオ機器は、前記テレビ受信機に少なくとも該テレビ受信機からの音声信号を受け取るＨＤＭＩケーブルを介して接続され、音声復調手段により前記音声信号を復調する工程と、第２音声データ比較手段により、前記電子番組ガイド情報又は前記音声信号のヘッダ情報から得られる映像の音声のｃｈ数情報が２ｃｈである場合、前記音声復調手段によって復調された左右の音のデータを比較する工程と、第２オーディオ制御手段により、前記第２音声データ比較手段による比較結果に応じて前記左右の外部スピーカ及び外部センタスピーカからのステレオ再生又はモノラル再生を行わせる工程とを有し、音声再生指示に応じた前記第１音声データ比較手段又は前記第２音声データ比較手段による比較において左右の音のデータが同じである場合、前記第１オーディオ制御手段又は前記第２オーディオ制御手段により前記左右のスピーカ及びセンタスピーカ又は前記左右の外部スピーカ及び外部センタスピーカによるモノラル再生が行われることを特徴とする。
本発明の映像音声再生装置、映像音声再生システム及び映像音声再生方法では、たとえば多重化復元手段により、選局されたデジタル放送の多重化信号が復元され、映像信号、音声信号、電子番組ガイド情報を有する付加情報のそれぞれに分離され、音声復号手段により音声信号が復号化され、音声データ比較手段による比較により、電子番組ガイド情報又は音声信号のヘッダ情報から得られる映像の音声のｃｈ数情報が２ｃｈである場合、音声復号手段によって復号化された左右の音のデータが比較され、オーディオ制御手段により、音声データ比較手段による比較により左右の音のデータが同じであるとき、左右のスピーカによるモノラル再生が行われる。
【発明の効果】
【００１３】
本発明の映像音声再生装置、映像音声再生システム及び映像音声再生方法によれば、ｃｈ数情報が２ｃｈである場合、音声データ比較手段により音声復号手段によって復号化された左右の音のデータが比較され、オーディオ制御手段により、音声データ比較手段による比較により左右の音のデータが同じであるとき、左右のスピーカによるモノラル再生が行われるようにしたので、ｃｈ数情報がステレオでありながら、音データはＬｃｈとＲｃｈとで同じ音である放送が存在している場合であっても、モノラル再生に適した音場処理を行うことができる。
【発明を実施するための最良の形態】
【００１４】
本実施形態では、多重化復元手段により、選局されたデジタル放送の多重化信号が復元され、映像信号、音声信号、電子番組ガイド情報を有する付加情報のそれぞれに分離され、音声復号手段により音声信号が復号化され、音声データ比較手段による比較により、電子番組ガイド情報又は音声信号のヘッダ情報から得られる映像の音声のｃｈ数情報が２ｃｈである場合、音声復号手段によって復号化された左右の音のデータが比較され、オーディオ制御手段により、音声データ比較手段による比較により左右の音のデータが同じであるとき、左右のスピーカによるモノラル再生が行われるようにした。
【００１５】
このように、音声データ比較手段による比較により左右の音のデータが同じであるかどうかを比較することで、ｃｈ数情報がステレオでありながら、音データはＬｃｈとＲｃｈとで同じ音である放送が存在している場合であっても、その放送の存在を確認できるばかりか、モノラル再生に適した音場処理を行うことができる。
【００１６】
また、モノラル再生では、左右の音のデータのうち、いずれか一方の音のデータを用いればよいため、通常のステレオ再生でのＬｃｈ及びＲｃｈのデータ処理に比べて半分の処理で済ませることができる。
【実施例】
【００１７】
以下、本発明の実施例の詳細について説明する。図１は、本発明の映像音声再生システムの一実施例を説明するための図である。
【００１８】
同図に示す映像音声再生システムは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子１０を備えたテレビ受信機１と、ＨＤＭＩ端子１４を備えたオーディオ機器２とをＨＤＭＩケーブル６と光ケーブル１８とで接続し、ＡＶ信号や番組情報信号の授受を行い、映像や音声の再生を行うようにした構成となっている。
【００１９】
なお、本発明の映像音声再生システムは、図２に示すように、ＨＤＭＩ端子１１，１２を備えたテレビ受信機１と、ＨＤＭＩ端子１５，１６を備えたレコーダ３，４とをＨＤＭＩケーブル７，８によって接続し、ＡＶ信号や番組情報信号の授受を行い、映像や音声の再生を行うような構成をとることも可能である。
【００２０】
また、本発明の映像音声再生システムは、図３に示すように、ＨＤＭＩ端子１０を備えたテレビ受信機１と、ＨＤＭＩ端子１４を備えたオーディオ機器２とをＨＤＭＩケーブル６と光ケーブル１８とで接続し、さらにオーディオ機器２のＨＤＭＩ端子１３とレコーダ５のＨＤＭＩ端子１７とをＨＤＭＩケーブル９で接続し、ＡＶ信号や番組情報信号の授受を行い、映像や音声の再生を行うような構成をとることも可能である。
【００２１】
なお、上述した図１〜図３におけるテレビ受信機１は、放送番組を直接受信して再生することができるとともに、ＨＤＭＩケーブル６〜９を介して外部機器から入力されたＡＶ信号を基に番組を再生することができるものである。また、オーディオ機器２は、ＨＤＭＩケーブル６〜９、光ケーブル１８を介して入力された音声信号を基に音声を再生することができるものである。また、レコーダ３〜５は、放送番組のＡＶ信号を直接受信して記録、再生することができるととともに、再生されたＡＶ信号をＨＤＭＩケーブル６〜９を介して外部に出力することができるものである。また、図示はしていないがレコーダ３〜５は外部からのＡＶ信号を入力して記録、再生することができるものである。
【００２２】
上述した図１〜図３におけるＨＤＭＩ端子１０〜１７は、ディスプレイ接続技術のＤＶＩ（Ｄｉｇｉｔａｌ  Ｖｉｓｕａｌ  Ｉｎｔｅｒｆａｃｅ）端子をＡＶ（オーディオ・ビジュアル）関連機器向けにアレンジして開発されたもので、次世代テレビ向けのインターフェース規格に基づいた接続端子である。ＨＤＭＩ端子では１本のケーブルで映像信号、音声信号、制御信号を合わせて送ることができ、制御信号は双方向にも伝送させることができるため、機器間をシンプルに接続でき、後述の１台のリモコン１１７で複数のＡＶ機器（オーディオ・ビジュアル機器）を制御することができるようになる。
【００２３】
図１〜図３におけるＨＤＭＩケーブル６〜９部分の詳細な接続関係を図４に示す。
【００２４】
図４において、２１は映像データと音声データの送り側であるＨＤＭＩソース、２２は映像データと音声データの受け側のＨＤＭＩシンクを示している。たとえば図２でいえばレコーダ３とレコーダ４とがＨＤＭＩソース２１に相当し、テレビ受信機１がＨＤＭＩシンク２２に相当している。ＨＤＭＩソース２１にはＨＤＭＩ送信機２３が備わり、ＨＤＭＩシンク２２にはＨＤＭＩ受信機２４が備わっている。２５は両端にＨＤＭＩ端子２６，２７を備えたＨＤＭＩケーブルである。
【００２５】
ＨＤＭＩ送信機２３に入力された映像信号、音声信号及び制御状態信号がＴＭＤＳチャンネル２８（ＴＭＤＳチャンネル０〜２とＴＭＤＳクロックチャンネル）を通してＨＤＭＩシンク２２にシリアル伝送される。ＨＤＭＩシンク２２ではＴＭＤＳクロックチャンネルを通して送られたクロック信号を基に、ＴＭＤＳチャンネル２８を通して送られた映像信号、音声信号、制御状態信号を再生する。なお、音声信号と制御状態信号は映像信号のブランキング期間を利用して伝送される。
【００２６】
また、ＨＤＭＩケーブル２５にはＣＥＣ（Ｃｏｎｓｕｍｅｒ  Ｅｌｅｃｔｒｏｎｉｃｓ  Ｃｏｎｔｒｏｌ）ライン２９とＤＤＣ（Ｄｉｓｐｌａｙ  Ｄａｔａ  Ｃｈａｎｎｅｌ）ライン３０も配置されている。ＣＥＣライン２９とＤＤＣライン３０は双方向ラインであり、これらの信号ラインを通じ機器間で制御信号のやり取りが行われる。
【００２７】
たとえば、後述するように、テレビ受信機１やオーディオ機器２の音場モードを切り替えるため、テレビ受信機１、オーディオ機器２及びレコーダ３〜５の間で、番組ジャンル情報やチャンネル数（コンテンツに関する付加情報）に応じた制御信号がＣＥＣライン２９を通してやり取りされる。また、たとえば、テレビ受信機１やレコーダ３〜５は、自己に直接的又は間接的に外部接続された機器の映像表示仕様や音声出力仕様などを、ＥＤＩＤ（Ｅｘｔｅｎｄｅｄ  Ｄｉｓｐｌａｙ  Ｉｄｅｎｔｉｆｉｃａｔｉｏｎ）−ＲＯＭ３１からＤＤＣライン３０を通して読み取り、接続されている機器の仕様にあった映像信号と音声信号とを送信するようになっている。
【００２８】
図５は、図３の構成に対応させた場合の概略の制御ブロック図を示すものである。
【００２９】
図５において、４１〜４３はホストＣＰＵである。また、４４はモニタマイコン、４５、４６はフロントマイコンである。４７〜４９はインターフェース回路である。また、５０、５１はＨＤＭＩ受信用ＬＳＩである。また、５２、５３はＨＤＭＩ送信用ＬＳＩである。インターフェース４７，４８，４９間はＣＥＣラインで接続されている。ＨＤＭＩ受信用ＬＳＩはＨＤＭＩ受信機２４をＬＳＩ化したもの、ＨＤＭＩ送信用ＬＳＩ５２，５３はＨＤＭＩ送信機２３をＬＳＩ化したものである。
【００３０】
ＨＤＭＩ送信用ＬＳＩ５３には送信先としてＨＤＭＩ受信用ＬＳＩ５０が接続されている。またＨＤＭＩ送信用ＬＳＩ５２には送信先としてＨＤＭＩ受信用ＬＳＩ５１が接続されている。またＨＤＭＩ送信用ＬＳＩ５３は、ＨＤＭＩ受信用ＬＳＩ５１がＨＤＭＩ送信用ＬＳＩ５２から受信したデータを受け取ることができるように、ＨＤＭＩ受信用ＬＳＩ５１に接続されている。
【００３１】
ホストＣＰＵ４１〜４３は、モニタマイコン４４、フロントマイコン４５，４６、インターフェース回路４７〜４９、ＣＥＣラインを介して相互に通信することができる。また、ホストＣＰＵ４１〜４３は、ＨＤＭＩ送信用ＬＳＩ５２，５３を制御し、ＴＭＤＳチャンネルを介して映像信号、音声信号、制御状態信号を送信することができる。また、ＨＤＭＩ受信用ＬＳＩ５０，５１を制御し、ＴＭＤＳチャンネルを介して映像信号、音声信号、制御状態信号を受信することができる。
【００３２】
ＨＤＭＩケーブル６は、映像信号、音声信号、制御状態信号の伝送方向が一方向のみ可能なので、テレビ受信機１が放送局から受信した番組の音声をオーディオ機器２のスピーカで再生する場合には、テレビ受信機１からオーディオ機器２へ音声データを送る光ケーブル１８が設けられる。５４，５５は光ケーブル用インターフェースである。
【００３３】
たとえば、ユーザによって操作される後述のリモコン１１７からの指令により、テレビ受信機１がレコーダ５の映像信号、音声信号を受信して映像表示及び音声出力する場合には、テレビ受信機１のホストＣＰＵ４１はレコーダ５のホストＣＰＵ４３に対して映像信号と音声信号を送信するよう制御信号を送る。
【００３４】
この制御信号はモニタマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３はＨＤＭＩ送信用ＬＳＩ５２を制御してテレビ受信機１に向けて映像信号と音声信号を送信する。ＨＤＭＩ送信用ＬＳＩ５２から送信された映像信号と音声信号は一旦オーディオ機器２のＨＤＭＩ受信用ＬＳＩ５１で受信される。このときホストＣＰＵ４２は受信された信号が自己向けでないと判断し、再びＨＤＭＩ送信用ＬＳＩ５３からテレビ受信機１に向けて映像信号と音声信号を送信する。ＨＤＭＩ送信用ＬＳＩ５３から送信された映像信号と音声信号はテレビ受信機１のＨＤＭＩ受信用ＬＳＩ５０で受信され、自己向けに送信された信号と判断したら受信したデータを取り込む。
【００３５】
テレビ受信機１は、このようにしてレコーダ５からの映像信号と音声信号を基に映像表示、音声出力を行うことができる。また、レコーダ５で再生された番組ジャンル情報やチャンネル数（コンテンツに関する付加情報）をレコーダ５のホストＣＰＵ４３からテレビ受信機１のホストＣＰＵ４１に、フロントマイコン４６、インターフェース回路４９、ＣＥＣライン、インターフェース回路４７、モニタマイコン４４を介して送信する。
【００３６】
テレビ受信機１は、上記番組ジャンル情報やチャンネル数（コンテンツに関する付加情報）に応じてスピーカ出力モードを番組に適した構成に制御する。別の手段として、レコーダ５から再生された番組ジャンル情報やチャンネル数（コンテンツに関する付加情報）そのものを送るのではなく、この情報をもとにスピーカ出力モードが番組に適したものになるような「番組情報に基づく制御情報」（ここでの番組情報に基づく制御情報とは、複数の音場モードの中で番組に対応した音場モードになるように制御するための情報である）を指定するコマンド等を送ってもよい。
【００３７】
また、他の例として、たとえば、ユーザによって操作される後述のリモコン１１７からの指令により、レコーダ５の映像信号を基にテレビ受信機１で映像表示し、レコーダ５の音声信号を基にオーディオ機器２で音声出力する場合、ホストＣＰＵ４１はレコーダ５のホストＣＰＵ４３に対して、映像信号をテレビ受信機１に送信し音声信号をオーディオ機器２に送信するよう制御信号を送る。
【００３８】
この制御信号はモニタマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３はＨＤＭＩ送信用ＬＳＩ５２を制御してテレビ受信機１に向けて映像信号を送信し、オーディオ機器２に向けて音声信号を送信する。ＨＤＭＩ送信用ＬＳＩ５２から送信された映像信号と音声信号は一旦オーディオ機器２のＨＤＭＩ受信用ＬＳＩ５１で受信される。
【００３９】
このとき、ホストＣＰＵ４２は受信された信号の内映像信号は自己向けでないと判断し、映像信号を再びＨＤＭＩ送信用ＬＳＩ５３からテレビ受信機１のＨＤＭＩ受信用ＬＳＩ５０に向けて映像信号を送信する。ＨＤＭＩ送信用ＬＳＩ５３から送信された映像信号はテレビ受信機１のＨＤＭＩ受信用ＬＳＩ５０で受信される。そして、ホストＣＰＵ４１は自己向けに送信された映像信号と判断し、受信したデータを取り込む。このようにしてテレビ受信機１は自己の映像表部に映像を表示する。
【００４０】
一方、ホストＣＰＵ４２は音声信号が自己向けであると判断するので自己向け音声データとして取り込み、オーディオ機器２は取り込んだ音声データを基に自己のスピーカから音声を出力する。また、レコーダ５で再生された番組ジャンル情報やチャンネル数（コンテンツに関する付加情報）をレコーダ５のホストＣＰＵ４３からオーディオ機器２のホストＣＰＵ４２に、フロントマイコン４６、インターフェース回路４９、ＣＥＣライン、インターフェース回路４８、フロントマイコン４５を介して送信する。
【００４１】
オーディオ機器２は、上記番組ジャンル情報やチャンネル数（コンテンツに関する付加情報）に応じてスピーカ出力モードを番組に適した構成に制御する。別の手段として、レコーダ５から再生された番組ジャンル情報やチャンネル数（コンテンツに関する付加情報）そのものを送るのではなく、この情報をもとにスピーカ出力モードが番組に適したものになるような番組情報に基づく制御情報を送ってもよい。
【００４２】
このようにレコーダ５の映像信号、音声信号を基に、テレビ受信機１で映像表示し、オーディオ機器２で音声を出力することができる。また、ホストＣＰＵ４３はＨＤＭＩケーブル９のＣＥＣラインを介して番組ジャンル情報やチャンネル数（コンテンツに関する付加情報）もしくは、この情報をもとにスピーカ出力モードが番組に適したものになるような番組情報に基づく制御情報を送る。これらの情報を受信して、オーディオ機器２はスピーカ出力モードを番組に適した構成に制御する。
【００４３】
また、さらに他の例として、たとえば、テレビ受信機１のホストＣＰＵ４１が、ユーザによって操作される後述のリモコン１１７からの指令により、テレビ受信機１が放送局からの放送番組を受信して映像をテレビ受信機１で表示し、音声をオーディオ機器２から出力する場合には、テレビ受信機１の通常の処理でテレビ受信機１の表示部に映像を表示し、音声はテレビ受信機に備わるスピーカからの出力を停止し、代わりに光ケーブル１８を通して音声データをオーディオ機器２へ送る。
【００４４】
また、ホストＣＰＵ４１は番組ジャンル情報やチャンネル数（コンテンツに関する付加情報）をオーディオ機器２のホストＣＰＵ４２に、モニタマイコン４４、インターフェース回路４７、ＣＥＣライン、インターフェース回路４８、フロントマイコン４５を介して送信する。オーディオ機器２は、上記番組ジャンル情報やチャンネル数（コンテンツに関する付加情報）に応じてスピーカ出力モードを番組に適した構成に制御する。別の手段として、テレビ受信機１は番組ジャンル情報やチャンネル数（コンテンツに関する付加情報）そのものを送るのではなく、この情報をもとにスピーカ出力モードが番組に適したものになるような番組情報に基づく制御情報を送ってもよい。
【００４５】
これにより、テレビ受信機１が受信した放送番組の映像をテレビ受信機１の後述の表示部１０９により表示し、放送番組内容に対応した音場モードでオーディオ機器２のスピーカから音声を出力することができるようになる。
【００４６】
このように、ＨＤＭＩケーブルと光ケーブルにより相互接続されたテレビ受信機１、オーディオ機器２、レコーダ５は、後述のリモコン１１７でテレビ受信機１に操作信号を送ることにより種々の再生モードを実現できるようになる。上記再生モードの例の他にも種々の再生モードが考えられ、この場合、種々の再生モードを実現するに当たり音声データを双方向に送受信することが必要な箇所には光ケーブルが追加的に備えられる。
【００４７】
図６は、図３の構成における、テレビ受信機１、オーディオ機器２、レコーダ５の制御構成をさらに詳細に示した図である。
【００４８】
図６に示すように、テレビ受信機１は、アンテナ１０４と、チューナ１０５と、多重化復元部１０６と、映像復号部１０７と、音声復号部１２０と、音声データ比較部１２０ａコンテンツ情報復元部１１１と、表示部１０９と、オーディオ制御部１２１と、システムコントローラ１１５と、左右のフロントスピーカ１２９、１３０と、センタスピーカ１３１と、サブウーファ１３２と、リモコン受光部１１６と、リモコン１１７と、アンプ１２５〜１２８と、ボリューム１２４と、メモリ１１８と、操作部１１９と、映像信号処理部１０８、セレクタ１１２と、ＨＤＭＩ受信ＬＳＩ１１０と、デジタルオーディオインターフェース変調部１１３と、発光素子１１４と、双方向インターフェース回路１３３と、ＥＤＩＤ−ＲＯＭ１３４とを具備している。
【００４９】
チューナ１０５は、アンテナ１０４によって受信された放送信号から所望の周波数のチャンネルを選局し、復調処理を行う。なお、アンテナ１０４によって受信される放送信号は、地上デジタル放送、ＢＳデジタル放送、１１０度ＣＳデジタル放送等であり、チューナ１０５によって復調される信号は、コンテンツの映像信号と音声信号及び当該コンテンツに関する付加情報が時分割複合化された多重化信号として多重化復元部１０６に出力される。また、コンテンツとは、放送局からの放送信号によって供給される番組に限らず、インターネット等のネットワークを介して得られる番組を含むものとし、この場合には、ネットワークからコンテンツの映像信号と音声信号及び当該コンテンツに関する付加情報が時分割複合化された多重化信号が多重化復元部１０６に出力される。
【００５０】
多重化復元部１０６は、チューナ１０５（もしくはネットワーク、記録媒体の再生装置）から入力された多重化信号を基に、視聴したい番組の映像信号、音声信号、付加情報を分離する。分離した映像信号は映像復号部１０７に出力され、分離した音声信号は音声復号部１２０に出力され、分離した付加情報はコンテンツ情報復元部１１１に出力される。なお、付加情報は、入力信号に多重されているジャンルコードや、電子番組ガイド情報であるＥＰＧ（Ｅｌｅｃｔｒｏｎｉｃ  Ｐｒｏｇｒａｍｍｉｎｇ  Ｇｕｉｄｅ）等の情報であり、コンテンツのジャンル（「映画」、「ドラマ」、「音楽」、「ドキュメンタリ」、「ニュース」等）が含まれているものとする。
【００５１】
映像復号部１０７は、多重化復元部１０６から入力された映像信号を復号化し、復号化された映像信号は映像信号処理部１０８を介して表示部１０９に出力され映像表示される。映像信号処理部１０８は入力された映像信号が複数ある場合にいずれかを選択して出力するセレクタの役目や、入力された複数の映像信号を基に多画面表示できるよう映像合成したりする機能を有している。表示部１０９としては、液晶ディスプレイ、プラズマディスプレイ、ＣＲＴ等の表示手段が用いられる。
【００５２】
音声復号部１２０は、セレクタ１１２を介して多重化復元部１０６から入力された音声信号を復号化し、復号化された音声信号は、オーディオ制御部１２１によって加工された後、ボリューム１２４を介してアンプ１２５〜１２８で増幅され、左右のフロントスピーカ１２９、１３０と、センタスピーカ１３１と、サブウーファ１３２とから音声出力される。なお、図示はしていないが、他画面表示して複数人でそれぞれの画面を視聴する場合には、主画面の音声をスピーカから出力すると共に、副画面の音声を多重化復元部１０６から分離抽出して、ヘッドフォンやイヤフォン用として出力できるように構成することもできる。
【００５３】
コンテンツ情報復元部１１１は、多重化復元部１０６から入力された付加情報を復号化すると共に、復号化された付加情報からジャンルを抽出し、抽出したジャンルがコンテンツ情報としてシステムコントローラ１１５に出力される。なお、同一のコンテンツに複数のジャンルが設定されている場合、すなわち付加情報として同一のコンテンツに複数のジャンルが含まれている場合には、抽出した複数のジャンルがシステムコントローラ１１５に出力される。
【００５４】
音声データ比較部１２０ａは、多重化復元部１０６によって復元されたＥＰＧ、あるいは音声データのヘッダ情報から得られる映像の音声のｃｈ数情報を元に、そのｃｈ数情報が２ｃｈ（ステレオ）である場合、ＬｃｈとＲｃｈの音のデータが異なっているか同じであるかを比較する。ここで、ＬｃｈとＲｃｈの音のデータが異なっている場合は、復元されたＥＰＧ、あるいは音声データのヘッダ情報から得られる映像の音声のｃｈ数情報と音のデータとが適合しているため、オーディオ制御部１２１に適合していることを示す比較結果を出力する。
【００５５】
これに対し、ＬｃｈとＲｃｈの音のデータが同じである場合は、復元されたＥＰＧ、あるいは音声データのヘッダ情報から得られる映像の音声のｃｈ数情報と音のデータとが適合しないことになる。この場合は、そのｃｈ数情報が２ｃｈ（ステレオ）であるにもかかわらず、音声データがモノラルであることから、オーディオ制御部１２１に対し適合していないことを示す比較結果を出力する。
【００５６】
オーディオ制御部１２１は、音声復号部１２０によって復号化された音声信号に加工を施す音質調整手段であり、チャンネル数変換処理部１９１と、音場変更処理部１９２と、強調処理部１９３と、イコライザ処理部１９４とからなる。
【００５７】
チャンネル数変換処理部１９１は、音声復号部１２０によって復号化された音声信号の入力チャンネル数を変換する機能を有し、チャンネル数変換処理として、たとえば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理が行われる。
【００５８】
また、チャンネル数変換処理部１９１は、音声データ比較部１２０ａからのｃｈ数情報が２ｃｈ（ステレオ）であるにもかかわらず、音声データがモノラルであるとした比較結果を受け取ると、２ｃｈの音声信号を１ｃｈの音声信号に変換するモノラル変換処理を行う。なお、モノラル変換処理による音声再生の詳細については後述する。
【００５９】
音場変更処理部１９２は、音場、すなわちリスニング環境を変更する機能を有し、たとえば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行う。
【００６０】
チャンネル数変換処理部１９１と音場変更処理部１９２とによる処理はバーチャルサラウンドやプロロジック２（登録商法）などの各音場モードを実現する処理である。
【００６１】
強調処理部１９３は、センタスピーカ１３１からの音声出力を他のスピーカからの音声出力よりも強調する機能を有し、たとえば、センタスピーカ１３１から出力される音声信号のみを増幅するセンタ強調処理、センタスピーカ１３１から出力される音声信号を増幅すると共に、他のスピーカから出力される音声信号を減幅するバランス調整処理が行われる。このセンタスピーカ１３１からの音声出力を他のスピーカから音声出力よりも強調する音場モードを「声強調モード」ということにする。
【００６２】
イコライザ処理部１９４は、周波数帯域毎に、ゲインを増減して音質をコントロールする機能を有し、フロントスピーカ１２９、１３０の指向性による周波数特性を補正する指向性補正処理を行うと共に、低音を増幅する低音増強処理を行う。
【００６３】
ボリューム１２４は、システムコントローラ１１５の指示にしたがって各スピーカの音圧（音量）を制御する。リモコン受光部１１６は、リモコン１１７からの操作信号（赤外線）を受信し、受信した操作信号を電気信号に変換してシステムコントローラ１１５に出力する。
【００６４】
メモリ１１８は、コンテンツ情報復元部１１１によって抽出されたコンテンツ情報が記憶されると共に、コンテンツのジャンル及びチャンネル数に応じた音場モードが定義されている音場モードテーブルが記憶されている。
【００６５】
ＨＤＭＩ受信用ＬＳＩ１１０は、ＨＤＭＩケーブル６を介して受信した信号から映像信号と映像信号を分離再生し、映像信号を映像信号処理部１０８へ出力し、音声信号をセレクタ１１２へ出力する。
【００６６】
映像信号処理部１０８は、システムコントローラ１１５からの指示により映像復号部１０７からの映像信号、又はＨＤＭＩ受信用ＬＳＩ１１０からの映像信号のいずれか一方を選択して表示部１０９へ出力する。また、映像信号処理部１０８は、システムコントローラ１１５からのたとえば２画面表示の指示があると、映像復号部１０７からの映像信号とＨＤＭＩ受信用ＬＳＩ１１０からの映像信号とを表示部１０９へ出力する。なお、システムコントローラ１１５からの映像信号処理部１０８へのたとえば２画面表示の指示は、リモコン１１７からの２画面表示の操作指示を受けて実行されるものである。
【００６７】
また、ここでは、映像信号処理部１０８に、映像復号部１０７からの映像信号とＨＤＭＩ受信用ＬＳＩ１１０からの映像信号との２系統の映像信号が取り込まれている場合で示しているが、３系統以上の映像信号が取り込まれるようにしてもよいことは勿論である。ここで、映像信号処理部１０８に３系統以上の映像信号が取り込まれるいるとき、リモコン１１７からの３画面以上のいわゆるマルチ画面表示の操作指示があると、システムコントローラ１１５からの指示で映像信号処理部１０８がその３系統以上の映像信号を表示部１０９へ出力することになる。
【００６８】
このような２画面表示又は３画面以上のいわゆるマルチ画面表示は、たとえばメモリ１１８にこれらの２画面表示又はマルチ画面表示を行わせるためのプログラムを記憶させておき、リモコン１１７からの操作指示に応じて、これらの２画面表示又はマルチ画面表示が選択されるようにすればよい。
【００６９】
また、セレクタ１１２は、システムコントローラ１１５からの指示により多重化復元部１０６からの音声信号、又はＨＤＭＩ受信用ＬＳＩ１１０からの音声信号のいずれか一方を選択して音声復号部１２０とデジタルオーディオインターフェース変調部１１３へ出力する。
【００７０】
デジタルオーディオインターフェース変調部１１３は、セレクタ１１２から入力した音声データを光ケーブル伝送用信号に変調して発光素子１１４に出力する。発光素子１１４はデジタルオーディオインターフェース変調部１１３からの信号に応じて発光し、この光は光ケーブル１８によりオーディオ機器２に向けて伝送される。
【００７１】
また、双方向インターフェース回路１３３がシステムコントローラ１１５とＨＤＭＩケーブル６のＣＥＣラインとの間に備わり、送受信される信号の双方向バッファ回路を構成する。
【００７２】
ＥＤＩＤ−ＲＯＭ１３４には、テレビ受信機１の映像表示仕様や音声出力仕様が記憶されており、ＨＤＭＩケーブル６、９のＤＤＣラインを介してオーディオ機器２やレコーダ５にこれらの映像表示仕様又は音声出力仕様情報を伝達する。図示はしていないが、ＨＤＭＩ端子にはホットプラグ検出端子が備わっているので、ＨＤＭＩ端子が接続されたときにホットプラグ検出機能を使用してこれらの映像表示仕様又は音声出力仕様情報がオーディオ機器２あるいはレコーダ５に伝達される。
【００７３】
また、オーディオ機器２は、システムコントローラ１５６と、セレクタ１４２と、音声復調部１４３と、音声データ比較部１４３ａと、オーディオ制御部１４４と、ボリューム１４７と、アンプ１４８〜１５１と、左右のフロントスピーカ１５２、１５３と、センタスピーカ１５４と、サブウーファ１５５と、ＨＤＭＩ受信用ＬＳＩ１５０と、ＨＤＭＩ送信用ＬＳＩ１６０と、受光素子１４０と、デジタルオーディオインターフェース復調部１４１と、双方向インターフェース回路１５７と、ＥＤＩＤ−ＲＯＭ１５８とを具備している。
【００７４】
光ケーブル１８を介して発光素子１１４からの音声信号がオーディオ機器２の受光素子１４０に入力されると、受光素子１４０は光信号を電気信号に変換して、デジタルオーディオインターフェース復調部１４１に出力する。デジタルオーディオインターフェース復調部１４１は光伝送用に変調された信号を復調し、該復調された信号はセレクタ１４２を介して音声復調部１４３に入力されて音声信号として復調される。復調された音声信号はオーディオ制御部１４４に入力される。
【００７５】
音声データ比較部１４３ａは、上述した音声データ比較部１２０ａと同様に、多重化復元部１０６によって復元されたＥＰＧ、あるいは音声データのヘッダ情報から得られる映像の音声のｃｈ数情報を元に、そのｃｈ数情報が２ｃｈ（ステレオ）である場合、ＬｃｈとＲｃｈの音のデータが異なっているか同じであるかを比較する。ここで、ＬｃｈとＲｃｈの音のデータが異なっている場合は、復元されたＥＰＧ、あるいは音声データのヘッダ情報から得られる映像の音声のｃｈ数情報と音のデータとが適合しているため、オーディオ制御部１４１に適合していることを示す比較結果を出力する。
【００７６】
これに対し、ＬｃｈとＲｃｈの音のデータが同じである場合は、復元されたＥＰＧ、あるいは音声データのヘッダ情報から得られる映像の音声のｃｈ数情報と音のデータとが適合しないことになる。この場合は、そのｃｈ数情報が２ｃｈ（ステレオ）であるにもかかわらず、音声データがモノラルであることから、オーディオ制御部１４１に対し適合していないことを示す比較結果を出力する。
【００７７】
オーディオ制御部１４４に入力された音声信号はオーディオ制御部１４４によって加工された後、ボリューム１４７を介してアンプ１４８〜１５１で増幅され、左右のフロントスピーカ１５２、１５３と、センタスピーカ１５４と、サブウーファ１５５とから音声出力される。ボリューム１４７はシステムコントローラ１５６の指示にしたがって各スピーカの音圧を制御する。
【００７８】
オーディオ制御部１４４は、音声復調部１４３によって復調された音声信号に加工を施すものであり、チャンネル数変換処理部１８１と、音場変更処理部１８２と、強調処理部１８３と、イコライザ処理部１８４とからなる。
【００７９】
チャンネル数変換処理部１８１は、音声復調部１４３によって復調された音声信号のチャンネル数を変換する機能を有し、チャンネル数変換処理として、たとえば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理を行う。
【００８０】
また、チャンネル数変換処理部１８１は、上述したチャンネル数変換処理部１９１と同様に、音声データ比較部１４３ａからのｃｈ数情報が２ｃｈ（ステレオ）であるにもかかわらず、音声データがモノラルであるとした比較結果を受け取ると、２ｃｈの音声信号を１ｃｈの音声信号に変換するモノラル変換処理を行う。
【００８１】
音場変更処理部１８２は、音場、すなわちリスニング環境を変更する機能を有し、たとえば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行う。
【００８２】
また、音場変更処理部１８２は、上述した音場変更処理部１９２と同様に、たとえばリモコン１１７からの２画面表示の操作指示と、いずれか一方の画面の映像に対する音声出力指示とに基づいたシステムコントローラ１５６から指示により、いずれか一方の画面の映像に対する音場変更を行う。この音場変更は、上述したように、バーチャルサラウンド処理等とは異なり、たとえば画面の中央にて２画面の映像を視聴しているとき、いずれか一方の映像内での人物が発する音声の位置、あるいはその映像内で発生される音等（車等の音や他の物音等）の位置と、たとえば左右のフロントスピーカ１５２、１５３からの音の位置とが合うようにするものである。
【００８３】
チャンネル数変換処理部１８１と音場変更処理部１８２による処理は、前述のチャンネル数変換処理部１９１、音場変更処理部１９２と同様に各音場モードを実現するものである。
【００８４】
強調処理部１８３による処理は、強調処理部１９３と同様に「声強調モード」を実現するものである。
【００８５】
イコライザ処理部１８４は、イコライザ処理部１９４と同様に、周波数帯域毎に、ゲインを増減して音質をコントロールする機能を有し、フロントスピーカ１５２、１５３の指向性による周波数特性を補正する指向性補正処理を行うと共に、低音を増幅する低音増強処理を行う。
【００８６】
また、双方向インターフェース回路１５７がシステムコントローラ１５６とＨＤＭＩケーブル６、９のＣＥＣラインとの間に備わり、送受信される信号の双方向バッファ回路を構成する。
【００８７】
また、ＥＤＩＤ−ＲＯＭ１５８には、オーディオ機器２の音声出力仕様が記憶されており、ＨＤＭＩケーブル６、９のＤＤＣラインを介してテレビ受信機１やレコーダ５にこの音声出力仕様情報を伝達する。図示はしていないが、ＨＤＭＩ端子にはホットプラグ検出端子が備わっているので、ＨＤＭＩ端子が接続されたときにホットプラグ検出機能を使用してこれらの映像表示仕様や音声出力仕様情報がテレビ受信機１あるいはレコーダ５に伝達される。
【００８８】
ＨＤＭＩ受信用ＬＳＩ１５９は、ＨＤＭＩケーブルを介して受信したレコーダ５からの映像信号と音声信号を分離再生し、映像信号をＨＤＭＩ送信用ＬＳＩ１６０へ出力し、音声信号をＨＤＭＩ送信用ＬＳＩ１６０とセレクタ１４２へ出力する。
【００８９】
また、ＨＤＭＩ送信用ＬＳＩ１６０はＨＤＭＩ受信用ＬＳＩ１５９から入力した映像信号と音声信号をＨＤＭＩケーブル６のＴＭＤＳチャンネル１６７を介してテレビ受信機１のＨＤＭＩ受信用ＬＳＩ１１０に出力する。ＨＤＭＩ送信用ＬＳＩ１６０からＨＤＭＩ受信用ＬＳＩ１１０に出力される信号は、図４に示したようにＨＤＭＩ規格に基づいた信号（ＴＭＤＳリンクといわれる映像、音声、クロック信号）とされて送信される。
【００９０】
セレクタ１４２はシステムコントローラ１５６からの指示によりデジタルオーディオインターフェース復調部１４１からの音声信号、又はＨＤＭＩ受信用ＬＳＩ１５９からの音声信号のいずれか一方を選択して音声複合部１４３へ出力する。
【００９１】
また、レコーダ５は、システムコントローラ１７２と、ＨＤＭＩ送信用ＬＳＩ１７１を具備している。ＨＤＭＩ送信用ＬＳＩ１７１はシステムコントローラ１７２の指示に従い、レコーダ５内部の記憶手段に記憶した映像データ、ＨＤＭＩ送信用ＬＳＩ１７１からオーディオ機器２のＨＤＭＩ受信用ＬＳＩ１５９に向けて映像信号と音声データを送信する。
【００９２】
また、システムコントローラ１７２は、図示されていないホットプラグ検出機能を使用して、テレビ受信機１のＥＤＩＲ−ＲＯＭに記憶された映像表示仕様、音声出力仕様、あるいはオーディオ機器２のＥＤＩＲ−ＲＯＭに記憶された音声出力仕様のデータをＤＤＣライン１６６を通して読み取ることができる。
【００９３】
また、システムコントローラ１７２はＣＥＣライン１６５を通してテレビ受信機１又はオーディオ機器２のシステムコントローラ１１５、１５６と制御信号の授受ができるようになっている。図示していないがレコーダ内部では、ＣＥＣラインには双方向バッファ、ＤＤＣラインにはＥＤＩＤーＲＯＭがテレビ受信機１の双方向バッファ１３３やＥＤＩＤーＲＯＭ１３４と同様の構成で接続されている。
【００９４】
次に、ユーザによって操作されるリモコン１１７からの指令により、テレビ受信機１が放送局からの放送番組を受信してテレビ受信機１の表示部１０９で映像表示し、オーディオ機器２のスピーカ１５２〜１５５から音声出力する場合の、映像信号、音声信号、及び制御信号の流れを、図７に従って説明する。なお、図７は図６に示した構成と同じである。
【００９５】
オーディオ機器２の音声出力仕様は、テレビ受信機１がオーディオ機器２にＨＤＭＩケーブル６を介して接続された際、システムコントローラ１１５によりＥＤＩＤ−ＲＯＭ１５８の音声出力仕様データが読み取られて、予めメモリ１１８に記憶されている。
【００９６】
まず、テレビ受信機１はアンテナ１０４からの放送番組を受信できる状態にあるとする。ユーザがリモコン１１７を操作して、テレビ受信機１が放送局からの放送番組を受信しその映像をテレビ受信機１の表示部１０９で表示し、音声をオーディオ機器２のスピーカ１５２〜１５５から出力するように切り替えるよう指示すると、リモコン１１７からの指令を受け取ったシステムコントローラ１１５は、映像復号部１０７の信号を選択するように映像信号処理部１０８を切り替える。また、多重化復元部１０６からの信号を選択するようにセレクタ１１２を切り替える。また、ボリューム１２４のゲインを０として音声出力がスピーカ１２９〜１３２から出力されないように処理する。なお、このときオーディオ制御部１２１は動作を停止するとよい。
【００９７】
また、システムコントローラ１１５は、ＣＥＣラインを通してシステムコントローラ１５６に音声をオーディオ機器２のスピーカ１５２〜１５５から出力するよう指示する。この指令を受け取ったシステムコントローラ１５６はセレクタ１４２をデジタルオーディオインターフェース復調部１４１の信号を選択するように切り替え、また、システムコントローラ１１５からＣＥＣライン１６９を通して送られてくる放送番組のジャンルと入力チャンネル数に応じて、最適な音場モードになるようにオーディオ制御部１４４の処理構成を切り替える。
【００９８】
したがって、映像復号部１０７で復号された映像信号は映像信号処理部１０８により選択されて表示部１０９に送られ、これにより表示部１０９は放送番組の映像を表示する。この映像信号は図７の実線（イ）で示した信号の流れで示される。
【００９９】
また、コンテンツ情報復元部１１１で抽出されたジャンルがシステムコントローラ１１５に出力される。コンテンツ情報復元部１１１は、多重化復元部１０６から入力された付加情報を復号化すると共に、復号化された付加情報からジャンルを抽出してシステムコントローラ１１５に出力される。また、多重化復元部１０６からの音声信号はセレクタ１１２により選択されて音声復号部１２０とデジタルオーディオインターフェース変調部１１３に出力される。
【０１００】
そして音声復号部１２０によって音声信号の入力チャンネル数が復号化される。システムコントローラ１１５は、放送番組のジャンルをコンテンツ情報復元部１１１から読み取り、また、チャンネル数を音声復号部１２０から読み取る。システムコントローラ１１５は、読み取った放送番組のジャンルと入力チャンネル数に応じた信号をオーディオ機器２のシステムコントローラ１５６に送る。この指令は図７の一点鎖線（ロ）で示した信号の流れで示される。
【０１０１】
この放送番組のジャンルと入力チャンネル数に応じた信号を受けたシステムコントローラ１５６は、オーディオ制御部１４４に対して、放送番組のジャンルと入力チャンネル数に最適な音場モードを実現するように、オーディオ機器２の出力チャンネル数と音場モードの変更処理を行う。
【０１０２】
セレクタ１１２から出力された音声信号はデジタルオーディオインターフェース変調部１１３にも出力されているので、この音声信号は、デジタルオーディオインターフェース変調部１１３、発光素子１１４、光ケーブル１８、受光素子１４０、デジタルオーディオインターフェース復調部１４１に伝送される。セレクタ１４２はデジタルオーディオインターフェース復調部１４１からの信号を選択し音声復調部１４３に送る。
【０１０３】
オーディオ制御部１４４は既に放送番組のジャンルと入力チャンネル数に最適な音場モードを実現する処理構成に切り替えられているので、オーディオ制御部１４４により加工が施された音声信号を基にスピーカ１５２〜１５５から出力される。この音声信号は図７の点線（ハ）で示した信号の流れで示される。スピーカ１５２〜１５５から出力される音声は、放送番組のジャンルと入力チャンネル数に応じた最適な音場モードを実現する。
【０１０４】
次に、ユーザによって操作されるリモコン１１７からの指令により、レコーダ５の録画番組の映像信号を基にテレビ受信機１で映像表示し、レコーダ５の録画番組の音声信号を基にオーディオ機器２で音声出力する場合の、映像信号、音声信号、及び制御信号の流れを、図８に従って説明する。なお、図８は図６に示した構成と同じである。
【０１０５】
オーディオ機器２の音声出力仕様は、レコーダ５がオーディオ機器２にＨＤＭＩケーブル９を介して接続された際、システムコントローラ１７２によりＥＤＩＤ−ＲＯＭ１５８の音声出力仕様データが読み取られて、予めシステムコントローラ１７２の記憶手段に記憶されている。
【０１０６】
まず、レコーダ５は放送番組を録画しているとする。このとき、録画情報として放送番組のジャンル情報も記録されている。ユーザがリモコン１１７を操作して、レコーダ５の映像信号を基にテレビ受信機１で映像表示し、レコーダ５の音声信号を基にオーディオ機器２で音声出力するように切り替えるようシステムコントローラ１１５に指示すると、リモコン１１７からの指令を受け取ったシステムコントローラ１１５は、ＨＤＭＩ受信機１１０の映像信号を選択するように映像信号処理部１０８を切り替える。また、ボリューム１２４のゲインを０として音声出力がスピーカ１２９〜１３２から出力されないように処理する。
【０１０７】
なお、このときテレビ受信機１の放送受信部（チューナ１０５と、多重化復元部１０６と、映像復号部１０７、コンテンツ情報復元部１１１、）、音声処理部（音声復号部１２０、オーディオ制御部１２１、デジタルオーディオインターフェース変調部１１３、発光素子１１４）は動作を停止するとよい。
【０１０８】
また、システムコントローラ１１５は、ＨＤＭＩケーブル６のＣＥＣライン１６９を通してシステムコントローラ１５６にレコーダ５からの音声信号をオーディオ機器２のスピーカ１５２〜１５５で再生するよう指示する。この指令を受け取ったシステムコントローラ１５６はＨＤＭＩ受信機１５９の音声信号を選択するようにセレクタ１４２を切り替える。また、レコーダ５からＨＤＭＩケーブル９のＣＥＣライン１６５を通して送られてくる放送番組のジャンルと入力チャンネル数に応じて、最適な音場モードになるようにオーディオ制御部１４４の処理構成を切り替える。
【０１０９】
したがって、レコーダ５のＨＤＭＩ送信用ＬＳＩ１７１、オーディオ機器２のＨＤＭＩ受信用ＬＳＩ１５９、ＨＤＭＩ送信用ＬＳＩ１６０、テレビ受信機１のＨＤＭＩ受信用ＬＳＩ１１０を介して送られた映像信号は映像信号処理部１０８により選択されて表示部１０９に送られ、これにより表示部１０９は放送番組の映像を表示する。この映像信号の流れは図８の実線（ニ）で示される。
【０１１０】
また、システムコントローラ１７２で抽出されたジャンルとチャンネル数の情報がオーディオ機器２のシステムコントローラ１５６に出力される。この制御信号の流れは図８の一点鎖線（ホ）で示される。この放送番組のジャンルと入力チャンネル数に応じた信号を受けたシステムコントローラ１５６は、オーディオ機器２の出力チャンネル数と音場モードの変更処理を行い、録画番組のジャンルと入力チャンネル数に最適な音場モードを実現するように処理構成を切り替える。
【０１１１】
レコーダ５のＨＤＭＩ送信用ＬＳＩ１７１、オーディオ機器２のＨＤＭＩ受信用ＬＳＩ１５９を介してセレクタ１４２に入力された音声信号は、セレクタ１４２で選択されて音声復調部１４３に送られる。オーディオ制御部１４４は既に放送番組のジャンルと入力チャンネル数に最適な音場モードを実現する処理構成に切り替えられているので、オーディオ制御部１４４により加工が施された音声信号を基にスピーカ１５２〜１５５から出力される。この音声信号の流れは図８の点線（ヘ）で示される。スピーカ１５２〜１５５から出力される音声は、録画番組のジャンルと入力チャンネル数に応じた最適な音場モードを実現する。
【０１１２】
次に、上述した音声データ比較部１２０ａによる比較結果に応じた音声再生処理について、図９及び図１０を用いて説明する。なお、以下に説明する音声再生処理は、テレビ受信機１側の左右のフロントスピーカ１２９、１３０、又はオーディオ機器２側の左右のフロントスピーカ１５２、１５３のいずれかで実施されるものであるが、両者の処理はほぼ同じであるため、テレビ受信機１側の左右のフロントスピーカ１２９、１３０による処理を代表させるものとする。
【０１１３】
まず、上述した音声データ比較部１２０ａにより、多重化復元部１０６によって復元されたＥＰＧ、あるいは音声データのヘッダ情報から得られる映像の音声のｃｈ数情報を元に、そのｃｈ数情報が２ｃｈ（ステレオ）である場合、ＬｃｈとＲｃｈの音のデータが異なっているか同じであるかの比較が行われる。
【０１１４】
ここで、ＬｃｈとＲｃｈの音のデータが異なっている場合は、復元されたＥＰＧ、あるいは音声データのヘッダ情報から得られる映像の音声のｃｈ数情報と音のデータとが適合しているため、オーディオ制御部１２１に適合していることを示す比較結果が出力される。この場合は、テレビ受信機１側の左右のフロントスピーカ１２９、１３０からＬｃｈ及びＲｃｈの音声信号が再生される。
【０１１５】
この場合、たとえば上述したチャンネル数変換処理部１９１による２ｃｈの音声信号を３．１ｃｈ又は５．１ｃｈに変換するマトリクスデコード処理が指示されているとき、そのマトリクスデコード処理に応じた音場処理等も行われる。
【０１１６】
これに対し、ＬｃｈとＲｃｈの音のデータが同じである場合は、復元されたＥＰＧ、あるいは音声データのヘッダ情報から得られる映像の音声のｃｈ数情報と音のデータとが適合していないため、オーディオ制御部１２１に適合していないことを示す比較結果が出力される。この場合は、上述したチャンネル数変換処理部１９１により、２ｃｈの音声信号が１ｃｈの音声信号に変換される。
【０１１７】
この場合、たとえば上述したチャンネル数変換処理部１９１による２ｃｈの音声信号を３．１ｃｈ又は５．１ｃｈに変換するマトリクスデコード処理が指示されているとき、そのマトリクスデコード処理に応じた音場処理等が行われない。
【０１１８】
またこの場合、Ｌｃｈ又はＲｃｈのいずれか一方の音が選択されることになるが、たとえばＲｃｈの音が選択された場合、図９に示すように、そのＲｃｈの音の成分をＸｂとすると、テレビ受信機１側の左右のフロントスピーカ１２９、１３０からそのＲｃｈの音の成分Ｘｂが再生されることになる。
【０１１９】
これに対し、Ｌｃｈの音が選択された場合、図１０に示すように、そのＬｃｈの音の成分をＸａとすると、テレビ受信機１側の左右のフロントスピーカ１２９、１３０からそのＬｃｈの音の成分Ｘａが再生されることになる。
【０１２０】
このように、復元されたＥＰＧ、あるいは音声データのヘッダ情報から得られる映像の音声のｃｈ数情報と音のデータとが適合していない場合、Ｌｃｈ又はＲｃｈのいずれか一方の音によるモノラル再生が行われるようにすることで、たとえば上述したチャンネル数変換処理部１８１による２ｃｈの音声信号を３．１ｃｈ又は５．１ｃｈに変換するマトリクスデコード処理が指示されているとき、そのマトリクスデコード処理に応じた音場処理等が行われないようにすることができる。
【０１２１】
次に、上述した音声データ比較部１２０ａによる比較結果に応じた他の音声再生処理について、図１１及び図１２を用いて説明する。図１１及び図１２は、上述した左右のフロントスピーカ１２９、１３０とセンタスピーカ１３１とによって音声再生処理が行われる場合を示している。
【０１２２】
まず、上記同様に、上述した音声データ比較部１２０ａにより、多重化復元部１０６によって復元されたＥＰＧ、あるいは音声データのヘッダ情報から得られる映像の音声のｃｈ数情報を元に、そのｃｈ数情報が２ｃｈ（ステレオ）である場合、ＬｃｈとＲｃｈの音のデータが異なっているか同じであるかの比較が行われる。
【０１２３】
ここで、ＬｃｈとＲｃｈの音のデータが異なっている場合は、復元されたＥＰＧ、あるいは音声データのヘッダ情報から得られる映像の音声のｃｈ数情報と音のデータとが適合しているため、オーディオ制御部１２１に適合していることを示す比較結果が出力される。この場合は、テレビ受信機１側の左右のフロントスピーカ１２９、１３０及びセンタスピーカ１３１からＬｃｈ及びＲｃｈの音声信号が再生される。
【０１２４】
これに対し、ＬｃｈとＲｃｈの音のデータが同じである場合は、復元されたＥＰＧ、あるいは音声データのヘッダ情報から得られる映像の音声のｃｈ数情報と音のデータとが適合していないため、オーディオ制御部１２１に適合していないことを示す比較結果が出力される。この場合は、上述したチャンネル数変換処理部１９１により、２ｃｈの音声信号が１ｃｈの音声信号に変換される。
【０１２５】
この場合、Ｌｃｈ又はＲｃｈのいずれか一方の音が選択されることになるが、たとえばＲｃｈの音が選択された場合、図１１に示すように、そのＲｃｈの音の成分をＸｂとすると、テレビ受信機１側の左右のフロントスピーカ１２９、１３０及びセンタスピーカ１３１からそのＲｃｈの音の成分Ｘｂが再生されることになる。
【０１２６】
これに対し、Ｌｃｈの音が選択された場合、図１２に示すように、そのＬｃｈの音の成分をＸａとすると、テレビ受信機１側の左右のフロントスピーカ１２９、１３０及びセンタスピーカ１３１からそのＬｃｈの音の成分Ｘａが再生されることになる。
【０１２７】
この場合、上記同様に、たとえば上述したチャンネル数変換処理部１９１による２ｃｈの音声信号を３．１ｃｈ又は５．１ｃｈに変換するマトリクスデコード処理が指示されているとき、そのマトリクスデコード処理に応じた音場処理等が行われないようにすることができるとともに、センタスピーカ１３１からＲｃｈの音の成分Ｘｂ又はＬｃｈの音の成分Ｘａが再生されることで、音像位置がより明確となりモノラル再生での音がより聴き取り易くなる。
【０１２８】
このように、本実施例では、テレビ受信機１側で、多重化復元手段としての多重化復元部１０６により、選局されたデジタル放送の多重化信号を復元し、映像信号、音声信号、電子番組ガイド情報を有する付加情報のそれぞれに分離し、音声復号手段としての音声復号部１２０により音声信号を復号化し、第１音声データ比較手段としての音声データ比較部１２０ａにより、電子番組ガイド情報又は音声信号のヘッダ情報から得られる映像の音声のｃｈ数情報が２ｃｈである場合、音声復号部１２０によって復号化された左右の音のデータを比較し、左右の音のデータが同じであるとき、第１オーディオ制御手段としてのオーディオ制御部１２１により、たとえば左右のフロントスピーカ１２９，１３０からのモノラル再生が行われるようにした。
【０１２９】
また、オーディオ機器２側では、音声復調手段としての音声復調部１４３により音声信号を復調し、第２音声データ比較手段としての音声データ比較部１４３ａにより、電子番組ガイド情報又は音声信号のヘッダ情報から得られる映像の音声のｃｈ数情報が２ｃｈである場合、音声復調部１４３によって復調された左右の音のデータを比較し、左右の音のデータが同じであるとき、第２オーディオ制御手段としてのオーディオ制御部１４４により、左右の外部スピーカとしてのフロントスピーカ１５２，１５３によるモノラル再生が行われるようにした。
【０１３０】
このように、音声データ比較部１２０ａ又は１４３ａによる比較により左右の音のデータが同じであるかどうかを比較することで、ｃｈ数情報がステレオでありながら、音データはＬｃｈとＲｃｈとで同じ音である放送が存在している場合であっても、その放送の存在を確認できるばかりか、モノラル再生に適した音場処理を行うことができる。
【０１３１】
この場合、音声データ比較部１２０ａ又は１４３ａによる比較により、ｃｈ数情報がステレオでありながら、音データがＬｃｈとＲｃｈとで同じ音であるとき、表示部１０９に対してモノラル音声であることをＯＳＤ表示させるようにしてもよい。このようなＯＳＤ表示させることで、視聴者に対し現在視聴している映像の音声がモノラルであることを気づかせることができるばかりか、音声処理回路が故障したというような不安感を与えることもなくなる。
【０１３２】
また、モノラル再生では、左右の音のデータのうち、いずれか一方の音のデータを用いればよいため、通常のステレオ再生でのＬｃｈ及びＲｃｈのデータ処理に比べて半分の処理で済ませることができる。
【０１３３】
なお、本実施例では、たとえばテレビ受信機１にたとえばＨＤＭＩケーブル６を介してオーディオ機器２を接続するようにしたシステムにおける音声再生処理について説明したが、この例に限らず、テレビ受信機１単独での音声再生処理を行うことも可能である。
【産業上の利用可能性】
【０１３４】
テレビ受信機に限らず、映像を表示する他のモニタ装置にも適用可能である。
【図面の簡単な説明】
【０１３５】
【図１】本発明の映像音声再生システムの一実施例を説明するための図である。
【図２】本発明の映像音声再生システムの他の例を説明するための図である。
【図３】本発明の映像音声再生システムの他の例を説明するための図である。
【図４】図１〜図３におけるＨＤＭＩケーブル部分の詳細な接続関係を説明するための図である。
【図５】図３の構成に対応させた場合の概略の制御ブロック図を示すものである。
【図６】図３の構成における、テレビ受信機、オーディオ機器、レコーダの制御構成をさらに詳細に示した図である。
【図７】図６の構成における、映像信号、音声信号、及び制御信号の流れを説明するための図である。
【図８】図６の構成における、映像信号、音声信号、及び制御信号の流れを説明するための図である。
【図９】図６の音声データ比較部による比較結果に応じた音声再生処理について説明するための図である。
【図１０】図６の音声データ比較部による比較結果に応じた音声再生処理について説明するための図である。
【図１１】図６の音声データ比較部による比較結果に応じた他の音声再生処理について説明するための図である。
【図１２】図６の音声データ比較部による比較結果に応じた他の音声再生処理について説明するための図である。
【符号の説明】
【０１３６】
１  テレビ受信機
２  オーディオ機器
３〜５  レコーダ
６〜９、２５  ＨＤＭＩケーブル
１８  光ケーブル
２１  ＨＤＭＩソース
２２  ＨＤＭＩシンク
２３  ＨＤＭＩ送信機
２４  ＨＤＭＩ受信機
２８  ＴＭＤＳチャンネル
２９，１６５，１６９  ＣＥＣライン
３０，１６６，１７０  ＤＤＣライン
３１，１３４，１５８  ＥＤＩＤ−ＲＯＭ
４１〜４３  ホストＣＰＵ
４４  モニタマイコン
４５，４６  フロントマイコン
４７〜４９，５４，５５  インターフェース回路
５０，５１，１１０，１５９  ＨＤＭＩ受信用ＬＳＩ
５２，５３，１６０，１７１  ＨＤＭＩ送信用ＬＳＩ
１０４  アンテナ
１０５  チューナ
１０６  多重化復元部
１０７  映像復号部
１０８  映像信号処理部
１１２，１４２  セレクタ
１０９  表示部
１１１  コンテンツ情報復元部
１１３  デジタルオーディオインターフェース変調部
１１４  発光素子
１１５，１５６，１７２  システムコントローラ
１１６  リモコン受光部
１１７  リモコン
１１８  メモリ
１１９  操作部
１２０  音声復号部（音声復号手段）
１２０ａ    音声データ比較部（音声データ比較手段、第１音声データ比較手段）
１４３ａ  音声データ比較部（第２音声データ比較手段）
１２１    オーディオ制御部（オーディオ制御手段、第１オーディオ制御手段）
１４４  オーディオ制御部（第２オーディオ制御手段）
１２４，１４７  ボリューム
１２５〜１２８，１４８〜１５１  アンプ
１２９，１３０    フロントスピーカ（スピーカ）
１５２，１５３  フロントスピーカ（外部スピーカ）
１３１，１５４  センタスピーカ
１３２，１５５  サブウーファ
１３３，１５７  双方向インターフェース回路
１４０  受光素子
１４１  デジタルオーディオインターフェース復調部
１４３  音声復調部（音声復調手段）
１６１，１６７  ＴＭＤＳチャンネル
１８１  チャンネル数変換処理部
１８２  音場変更処理部
１８３  強調処理部
１８４  イコライザ処理部
１９１  チャンネル数変換処理部
１９２  音場変更処理部
１９３  強調処理部
１９４  イコライザ処理部
【図１】
2009021663.tif 000003
【図２】
2009021663.tif 000004
【図３】
2009021663.tif 000005
【図４】
2009021663.tif 000006
【図５】
2009021663.tif 000007
【図６】
2009021663.tif 000008
【図７】
2009021663.tif 000009
【図８】
2009021663.tif 000010
【図９】
2009021663.tif 000011
【図１０】
2009021663.tif 000012
【図１１】
2009021663.tif 000013
【図１２】
2009021663.tif 000014